(57)【要約】      （修正有）【課題】音響吸収材料と、音響吸収材料を囲む第１のエンクロージャと、第１のエンクロージャを隣接した第２のエンクロージャに結合するように構成された第１の結合器とを備えるサイレンサパネルセクションを提供する。【解決手段】サイレンサパネル２０４は、単一のサイレンサパネルを形成するように結合された複数のセクションを用いる。サイレンサダクト２０２は、作動流体流路を形成するフレーム２０６と、フレーム２０６内に配置された複数のサイレンサパネル取付部２５０とを有する。各サイレンサパネル取付部は、サイレンサパネル２０４をスライド可能に受け入れるように構成されている。【選択図】図９
2017062465.tif 000002
【特許請求の範囲】
【請求項１】
音響吸収材料（１１０、２１０）と、
前記音響吸収材料（１１０、２１０）を囲む第１のエンクロージャ（１１２、２１２）と、
前記第１のエンクロージャ（１１２、２１２）を隣接したサイレンサパネル（１０４、２０４）セクションの第２のエンクロージャ（２１２Ｂ）に結合するように構成された第１の結合器（２７０）と
を備えるサイレンサパネル（１０４、２０４）セクション。
【請求項２】
前記第１の結合器（２７０）は、前記第１のエンクロージャおよび前記第２のエンクロージャ（２１２Ｂ）の一方にある雄形結合器（２７２）であって、前記第１のエンクロージャおよび前記第２のエンクロージャ（２１２Ｂ）の他方にある雌形結合器（２７４）と嵌合するように構成された雄形結合器（２７２）を含む、請求項１記載のサイレンサパネル（１０４、２０４）セクション。
【請求項３】
前記第１のエンクロージャ（１１２、２１２）を別の隣接したサイレンサパネル（１０４、２０４）セクションの第３のエンクロージャ（１１２、２１２）に結合するように構成された第２の結合器をさらに備える、請求項１記載のサイレンサパネル（１０４、２０４）セクション。
【請求項４】
前記第１のエンクロージャ（１１２、２１２）は、一対の対向する側壁（２１４）と、一対の対向する端壁（２６２）と、上側エンドキャップおよび下側エンドキャップ（１１６、１１８、２１６、２１８）とをさらに含む、請求項１記載のサイレンサパネル（１０４、２０４）セクション。
【請求項５】
前記上側エンドキャップおよび下側エンドキャップ（１１６、１１８、２１６、２１８）の少なくとも１つは、嵌合式雄雌型スライド結合器（２８２）の第１の部分であって、サイレンサパネル（１０４、２０４）フレーム（１０２、２０６）にある前記嵌合式雄雌型スライド結合器（２８２）の第２の部分と嵌合するように構成された、嵌合式雄雌型スライド結合器（２８２）の第１の部分を含む、請求項４記載のサイレンサパネル（１０４、２０４）セクション。
【請求項６】
前記第１のエンクロージャ（１１２、２１２）は、隣接した端壁（２６２）間に配置された少なくとも１つの補強材（２６４）をさらに含む、請求項４記載のサイレンサパネル（１０４、２０４）セクション。
【請求項７】
前記第１のエンクロージャ（１１２、２１２）は、その一対の隣接した側壁の端部にテーパ状の後部（２６６）を含む、請求項１記載のサイレンサパネル（１０４、２０４）セクション。
【請求項８】
前記第１のエンクロージャ（１１２、２１２）は、その一対の隣接した側壁の端部に丸みを帯びたノーズ部（１２０、２２０）を含む、請求項１記載のサイレンサパネル（１０４、２０４）セクション。
【請求項９】
前記エンクロージャ（１１２、２１２）は、少なくとも１つのプラスチックの穴あき側壁を含む、請求項１記載のサイレンサパネル（１０４、２０４）セクション。
【請求項１０】
前記少なくとも１つのプラスチックの穴あき側壁のプラスチックは、ポリ塩化ビニル（ＰＶＣ）、ポリプロピレン（ＰＰ）、ポリプロピレン共重合体（ＰＰＣ）、ポリプロピレンホモポリマー（ＰＰＨ）、ポリエチレン（ＰＥ）、および高密度ポリエチレン（ＨＤＰＥ）からなる群から選択される、請求項９記載のサイレンサパネル（１０４、２０４）セクション。
【発明の詳細な説明】
【技術分野】
【０００１】
本開示は、一般に、音響減衰に関し、より詳細には、サイレンサパネル、および関連するサイレンサダクトに関する。
【背景技術】
【０００２】
騒音低減システムは、周囲部分に対する音響衝撃を減少させるためにターボ機械などの多種多様な産業機械に使用されている。例えば、ガスタービンシステムでは、騒音低減システムが入口ダクト、ガスタービンエンクロージャ、および遮断壁に用いられ得る。従来、必要な音響低減の要件を達成するために、サイレンサパネルおよび音響処理壁が騒音エリアに使用されている。音響衝撃を低減するためのある仕組みは、音響吸収材料を用いて壁を処理することである。別の仕組みは、吸気システムダクト中の作動流体流路などの、騒音低減が要求されるエリアにサイレンサパネルを配置して、騒音が逃げるのを防ぐことである。
【０００３】
サイレンサパネルに関しては、典型的に、各パネルは、金属支持部材によって位置決めされ、その両側にステンレス鋼穴あきシートを備えるエンクロージャによって囲まれているミネラル／グラスウールなどの音響吸収材料を含む。これらのシートは、ステンレス鋼エンドキャップによって共に保持される。典型的には、ステンレス鋼穴あきシートは、音響吸収材料を保持する支持部材に溶接される。穴あきステンレス鋼シートは、支持部材を用いて音響吸収材料をそのまま保持し、音波を穴を通じて音響吸収材料の中に伝搬させる。ステンレス鋼エンクロージャの使用は、いくつかの課題を提示する。例えば、エンクロージャは、とても重く、また、材料の費用とパネルを形成するのに溶接が必要であることとにより、製造するのが困難であり費用もかかる。さらに、鉄骨構造は、周辺ダクトの所定の位置に溶接しなければならず、特定のサイズのダクトに合うように適合されなければならない。
【先行技術文献】
【特許文献】
【０００４】
【特許文献１】米国特許第５３９４７８６号明細書
【発明の概要】
【０００５】
本開示の第１の態様は、音響吸収材料と、音響吸収材料を囲む第１のエンクロージャと、第１のエンクロージャを隣接したサイレンサパネルセクションの第２のエンクロージャに結合するように構成された第１の結合器とを備えるサイレンサパネルセクションを提供する。
【０００６】
本開示の第２の態様は、単一のサイレンサパネルを形成するように結合されるように構成された複数のセクションであって、各セクションは、音響吸収材料を囲むエンクロージャ内に音響吸収材料を含む、複数のセクションを備えるサイレンサパネルを提供する。
【０００７】
本開示の第３の態様は、作動流体流路を形成するフレームと、フレーム内に配置された複数のサイレンサパネル取付部であって、各サイレンサパネル取付部は、サイレンサパネルをスライド可能に受け入れるように構成されている、複数のサイレンサパネル取付部とを備えるサイレンサダクトを提供する。
【０００８】
本開示の例示した態様は、本明細書に記載した課題および／または述べられていない他の課題を解決するようになされている。
【０００９】
本開示のこれらの特徴および他の特徴は、本開示の様々な実施形態を示す添付図面と併せて本開示の様々な態様の以下の詳細な説明から、より容易に理解されよう。
【図面の簡単な説明】
【００１０】
【図１】本開示の実施形態によるサイレンサパネルを用いる例示的な産業機械の概略図である。
【図２】本開示の実施形態によるサイレンサパネルおよびサイレンサダクトを用いる吸気システムフレームの正面斜視図である。
【図３】セクション化されたサイレンサパネルを見えるようにするためにフレームのエンドパネルを取り除いた、フレーム中の所定の位置における本開示の実施形態によるサイレンサパネルの上側斜視図である。
【図４】エンドキャップを取り除いた、本開示の実施形態による単一のサイレンサパネルの上側斜視図である。
【図５】本開示の実施形態によるサイレンサパネルの正面斜視図である。
【図６−８】本開示の実施形態によるサイレンサパネルのための穴の様々な形態を示す図である。
【図９】本開示の実施形態によるサイレンサパネルを用いるサイレンサダクトの斜視図である。
【図１０】サイレンサパネルを見えるようにするためにフレームのエンドパネルを取り除いた、サイレンサダクトフレーム中の所定の位置における本開示の実施形態によるサイレンサパネルの上側斜視図である。
【図１１】エンドキャップを取り除いた、本開示の実施形態によるセクションを含む単一のサイレンサパネルの上側斜視図である。
【図１２】本開示の実施形態によるサイレンサパネルの正面斜視図である。
【図１３】本開示の実施形態によるサイレンサパネルの分解斜視図である。
【図１４】セクションと共に用いられる例示的な結合器の詳細図である。
【図１５】本開示の実施形態による、サイレンサパネルを除去したサイレンサダクトの斜視図である。
【図１６】本開示の実施形態による、サイレンサダクトにサイレンサパネルを取り付けるための溝を含むサイレンサパネル取付部の拡大斜視図である。
【図１７】本開示の実施形態による、サイレンサパネルを取り付けるためのサイレンサパネル取付部の代替の実施形態の拡大斜視図である。
【発明を実施するための形態】
【００１１】
本開示の図面は原寸に比例していないことに留意されたい。図面は、本開示の典型的な態様だけを示すものであり、したがって、本開示の範囲を限定するものとしてみなされるべきではない。図面において、同様の番号は、図面間で同様の要素を表す。
【００１２】
上述したように、本開示はサイレンサパネル、および少なくとも１つのプラスチックの穴あき側壁を備えたサイレンサシステムを提供する。さらに、本開示は、サイレンサパネルセクションまたはセクションと、（モジュール式）サイレンサパネルと、サイレンサパネルをスライド可能に受け入れることができるサイレンサダクトとを含む。
【００１３】
図面を参照すると、図１は、とりわけガスタービンシステム１２を含むことができるターボ機械システム１０（例えば、単純サイクルガスタービン発電システム）の形態で例示的な産業機械を示す。ガスタービンシステム１２は、天然ガスおよび／または水素豊富化合成ガスなどの液体または気体の燃料を燃焼して、高温燃焼ガスを生成してガスタービンシステム１２を駆動することができる。ガスタービンシステム１２は、空気取入口セクション１６と、圧縮機１８と、燃焼器コンポーネント２０と、タービンコンポーネント２２とを備える。タービンコンポーネント２２は、シャフト２４を介して圧縮機１８に駆動可能に結合されている。動作時、空気（例えば、周囲空気）は、空気取入口セクション１６を通じてガスタービンシステム１２に入り（矢印２６によって示されている）、圧縮機コンポーネント１８内で加圧される。空気取入口セクション１６は、内部に作動流体流を形成するための取入口フレーム１７を含むことができる。図示されるように、取入口フレーム１７は圧縮機１８に動作可能に結合され、圧縮機１８は、シャフト２４に結合された複数の圧縮機ブレードを備えた少なくとも１つの段を含む。シャフト２４が回転することによって、圧縮機ブレードの対応する回転を引き起こし、それによって空気取入口セクション１６を介して空気を圧縮機１８に引き込み、燃焼器コンポーネント２０に入る前に空気を圧縮する。
【００１４】
燃焼器コンポーネント２０は、１つまたは複数の燃焼器を備えることができる。実施形態では、複数の燃焼器は、シャフト２４を中心にしたほぼ円形または環状の構成における複数の円周位置において燃焼器コンポーネント２０に配設されている。圧縮空気が圧縮機コンポーネント１８を出て、燃焼器コンポーネント２０に入るとき、圧縮空気は、燃焼器内での燃焼のために燃料と混合される。例えば、燃焼器は、適切な燃焼比、排出規制、燃費、パワー出力などで燃料空気混合気を燃焼器に噴射するように構成されている１つまたは複数の燃料ノズルを備えることができる。燃料空気混合気が燃焼すると、高温加圧排ガスを生成し、次いでこれを利用してタービンコンポーネント２２内の１つまたは複数のタービン段（それぞれは複数のタービンブレードを有する）を駆動することができる。
【００１５】
動作時、タービンコンポーネント２２に流れ込みこれを通じて流れる燃焼ガスは、タービンブレードに対して、タービンブレードの間で流れ、それによってタービンブレードを駆動し、したがってシャフト２４を回転させる。タービンコンポーネント２２において、燃焼ガスのエネルギーは仕事に変換され、その一部は回転シャフト２４を介して圧縮機コンポーネント１８を駆動するために使用され、残りのものは、限定するものではないが電気を作り出すための発電機２８および／または別のタービンなどの負荷を駆動するための有用な仕事に利用可能である。ターボ機械システム１０は、本発明の実施形態によるサイレンサパネルおよびシステムを用いることができる一応用を単に示すものであることを強調しておく。空気取入口システム１６を通じて空気が流れるとき、騒音が生成され、本発明の実施形態によるサイレンサシステム１００および圧縮機コンポーネント１８が用いられて、騒音が減少される。
【００１６】
図２は、作動流体流路を形成するフレームまたはサイレンサダクト１０２（例えば、取入口フレーム１７（図１））を備えたサイレンサシステム１００の正面斜視図を示し、図３は、フレーム１０２のエンドパネル１０６がサイレンサパネル１０４を見えるように開かれている、フレーム１０２内の所定の位置におけるサイレンサパネル１０４の上側斜視図を示す。フレーム１０２は、例えば、鉄鋼、亜鉛めっき鋼、または他の構造的金属で作製されると共に特定の圧縮機１８（図１）および／または産業機械の大きさに作製された任意の知られているまたは後に開発される取入口フレームを備えることができる。理解されるように、フレーム１０２は、多種多様なサイズになり得る。
【００１７】
図２に示されるように、本発明の実施形態による複数のサイレンサパネル１０４は、フレーム１０２内に配置される。パネルは、フレームの幅にわたって均等な間隔で配置することができる。各サイレンサパネル１０４は、様々なやり方で、例えば、フレーム１０２のエンドパネル１０６（図３）を通じてねじなどの固定具、嵌合チャンネル、さねはぎ嵌合要素等によって、フレーム１０２内に配置されるように構成することができる。各サイレンサパネル１０４は、用いられる特定のタイプの位置決め機構を収容するために適切な構造を備えることができる。
【００１８】
図４は、エンドキャップを取り除いた、単一のサイレンサパネル１０４の上側斜視図を示し、図５は、単一のサイレンサパネル１０４全体の正面斜視図を示す。図３〜図５をひとまとめに参照すると、各サイレンサパネル１０４は、音響吸収材料１１０（図４のみ）と、音響吸収材料１１０を囲むエンクロージャ１１２とを備える。音響吸収材料１１０は、限定するものではないが、発泡体、ミネラルウール、ロックウール、および繊維ガラスのうちの少なくとも１つなどの任意の現在知られているまたは後に開発される音吸収材料を含み得る。発泡体は、網状にされてもよい、または連続気泡フォームと呼ばれる他のやり方であってもよい。従来のシステムとは対照的に、本開示の実施形態によるエンクロージャ１１２は、少なくとも１つのプラスチックの穴あき側壁１１４を備える。さらに、必ずしも全ての場合に必要ではないが、サイレンサパネル１０４の上側エンドキャップおよび下側エンドキャップ１１６、１１８（図５）および側エンドキャップ１１９（図４〜図５）も、プラスチックで作製することができる。エンドキャップ１１６、１１８は、側パネル１１４に重なるおよび／または係合することによって音響吸収材料１１０を囲むように成形されたパネルを含み、側エンドキャップ１１９も、側パネル１１４に部分的に重なるおよび／または係合することによって音響吸収材料１１０を囲むように成形されたパネルを含む。選択肢として、エンクロージャ１１２は、プラスチックの丸みを帯びたノーズ部１２０も備えることができるが、これは必ずしも全ての場合に必要ではない。ノーズ部１２０も、ステンレス鋼などの他の材料で作製することもできる。図３および図５に最もよく示されるように、適宜、エンクロージャ１１２は、側壁１１４の隣接した部分間に配置された構造支持体１２２を備えることもでき、ここで側壁は、適宜分割される。各構造支持体１２２は、プラスチックで作製され、構造支持体を側壁１１４に設ける形状およびサイズを有する。エンドキャップ１１６、１１８、側壁１１４、ノーズ部１２０、および／または構造支持体１２２は、任意の現在知られているやり方または後に開発されるやり方で、例えば、ねじまたはナット／ボルト、相互ロック式スナップ係合要素、ねじ付き挿入物、溶接等などの固定具において共に結合することができる。各部品は、例えば、射出成型を用いて、別々に作製されてもよくまたは部品は共に形成されてもよい。結合機構は、設定に適切な場合には、プラスチックで作製することもできる。
【００１９】
プラスチックは、例えば、特定のフレーム１０２（図３）および／またはパネルを用いる産業機械の環境および動作特性に耐えることができるポリ塩化ビニル（ＰＶＣ）、ポリプロピレン（ＰＰ）、ポリプロピレン共重合体（ＰＰＣ）、ポリプロピレンホモポリマー（ＰＰＨ）、ポリエチレン（ＰＥ）、高密度ポリエチレン（ＨＤＰＥ）、または任意の他のプラスチックを含み得る。図４および図５に最もよく示されるように、各プラスチックの穴あき側壁１１４は、内部に穴１３４を有するプラスチックの平坦シート１３２を備えることができる。図６に示されるように、各穴は、側壁１０４を通じて延びる孔１４０の形態をとることができる。代替として、図７および図８に示されるように、各穴は、異なる開口の幾何学的形状を備えることができる（図７および図８）。ダイヤ形、三角形、長方形等などの他の形状も可能であり得る。
【００２０】
図９〜図１７を参照すると、セクションを備えたサイレンサパネル、および関連するサイレンサダクトが示されている。各実施形態は、プラスチックをサイレンサパネルに用いる前述の教示を用いることができる。図９は、本開示の実施形態による（モジュール式）サイレンサパネル２０４（１つだけが示されている）を用いるサイレンサダクト２０２の斜視図である。本明細書により詳細に説明されるように、サイレンサダクト２０２は、図２に関連して本明細書に記載されている、内部を通じて作動流体流路を形成するフレーム２０６を備えることができる。フレーム２０６は、上流端２０７および下流端２０８を備えることができる。フレーム２０６は、それが使用される産業機械の環境に耐えると共に複数の（モジュール式）サイレンサパネル２０４を保持するのに十分な強度を有する鉄鋼などの任意の現在知られているまたは後に開発される構造的材料で作製することができる。さらに詳細に説明されるように、複数のサイレンサパネル取付部２５０は、フレーム２０６内に配置することができ、各サイレンサパネル取付部は、サイレンサパネル１０４、２０４をスライド可能に受け入れるように構成されている。
【００２１】
図１０〜図１３を参照すると、本開示の実施形態によれば、サイレンサパネル１０４および従来の金属サイレンサパネルとは対照的に、各サイレンサパネル２０４は、単一のサイレンサパネル２０４を形成するように結合されるように構成された複数のセクション（モジュール式セクション）２６０Ａ、Ｂ、Ｃ等を含むことができる。サイレンサパネル２０４は、使用されるセクションのサイズおよび個数に基づいてカスタムでサイズを作製することができる。図には、３つのセクション２６０Ａ〜Ｃが、図９、図１１および図１３に示されており、５つのセクション２６０Ａ〜Ｅが、図１０および図１２に示されている。例えば、２個、４個、または５個より多くの任意の個数のセクション２６０を用いることができ、各セクションは、応用例に応じて同一または異なる寸法、すなわち、幅、長さ、高さを有することができることを強調しておく。いずれにしても、図１０〜図１２に最もよく示されるように、各セクション２６０は、エンクロージャ２１２内に音響吸収材料２１０を含み、エンクロージャ２１２が音響吸収材料２１０を囲む。音響吸収材料２１０には、材料１１０のため本明細書に挙げた任意の材料が含まれ得る。本開示の実施形態による第１のエンクロージャ２１２は、一対の対向する側壁２１４と、一対の対向する端壁２１６と、上側および下側エンドキャップ２１６、２１８とを備えることができる。少なくとも１つの側壁２１４は、壁１１４に関連して説明したように、穴あきプラスチックであり得る。各プラスチックの穴あき側壁２１４は、内部に穴２３４を有するプラスチックの平坦シート２３２を含むことができ、図６〜図８に関連して本明細書に説明したような任意の形態をとることができる。さらに、必ずしも全ての場合に必要ではないが、サイレンサパネル２０４の上側および下側エンドキャップ２１６、２１８（図１２）は、側壁１１４のために本明細書に挙げられた任意のプラスチックが含まれ得るプラスチックで作製することもできる。エンドキャップ２１６、２１８は、側壁２１４に部分的に重なるおよび／または係合することによって音響吸収材料２１０を囲むように成形されたパネルを備える。
【００２２】
図１０および図１３に最もよく示されるように、本明細書に記載したサイレンサパネル１０４とは対照的に、（図３〜図５において、支持構造体１２２がある場所に位置する）一対の対向する端壁２６２は、セクション２６０を形成する。各端壁２６２は、側壁２１４と同じプラスチックで作製することができ、構造支持体を側壁２１４に設ける形状およびサイズを有する。図１２に最もよく示されるように、少なくとも１つのエンクロージャは、隣接した端壁２６２間に配置された少なくとも１つの補強材２６４をさらに備えることができる。補強材２６４は、十分な支持を行うことができる任意の材料、例えば、金属またはプラスチックで作製することができる。
【００２３】
図１３を参照すると、選択肢として、作動流体の流れに対して最も後ろのセクションとして配置される一セクション（例えば、図１３中の２６０Ｃ）は、その一対の隣接した側壁２１４の端部にテーパ状の後部２６６を備えることができる。この設定において、側壁２１４は、特定のセクション２６２Ｃの前縁におけるよりも後縁において、互いにより近くなる。図１３にやはり示されている別の選択肢として、前縁セクション２６０Ａの端壁２６２は、プラスチックの丸みを帯びたノーズ部２２０の形態をとることができる。すなわち、丸みを帯びたノーズ部２２０は、前縁セクション２６０Ａのエンクロージャ２１２の一対の隣接した側壁２１４の端部に配置される。代替として、別個のノーズセクション２２０が、平坦な端壁２６２Ａに追加されてもよい。いずれにしても、ノーズ部２２０は、壁２１４のようにプラスチック、またはステンレス鋼などの他の材料で作製することができる。エンドキャップ２１６、２１８、側壁２１４、ノーズ部２２０、端壁２６２、および／または補強材２６４は、任意の現在知られているまたは後に開発されるやり方で、例えば、ねじまたはナット／ボルト、相互ロック式スナップ係合要素、ねじ付き挿入物、溶接等などの固定具において共に結合することができる。各部品は、例えば、射出成型を用いて、別々に作製されてもよくまたは部品は一体に作製されてもよい。結合機構は、適切な場合、設定のためにプラスチックで作製することもできる。
【００２４】
図１４を参照すると、各セクション２６０Ａ、２６０Ｂ等は、そのエンクロージャ２１２Ａを隣接したサイレンサパネルセクション２６０Ｂ、２６０Ｃ等の第２のエンクロージャ２１２Ｂに結合するように構成された第１の結合器２７０（ファントムボックス（ｐｈａｎｔｏｍ  ｂｏｘ）に示された部品）を含む。図１４の例は、セクション２６０Ｃへ結合する準備ができたセクション２６０Ｂを示すが、教示は、セクションの全部に適用可能である。第１の結合器２７０は、セクション２６０を恒久的にまたは一時的に共にしっかり結合するための任意の現在知られているまたは後に開発される機構を備えることができ、それによって、セクション２６０は、セクション２６０が用いられる産業機械の動作環境に耐えることができる。図示の例では、第１の結合器２７０は、例えば、セクション２６０Ｂの第１のエンクロージャおよび第２のエンクロージャ２１２の一方にある雄形結合器２７２であって、例えば、セクション２６０Ｃにある第１のエンクロージャおよび第２のエンクロージャ２１２の他方にある雌形結合器２７４と嵌合するように構成された雄形結合器２７２を備える。歯付きタブ２７２および相補的開口２７４として示されたが、様々な雄雌形結合が用いられてもよい。いくつかのセクション２６０が連続的に配置できるように、図１３に最もよく示されるように、各サイレンサモジュールセクション２６０は、例えば、セクション２６０Ｂのエンクロージャを別の隣接したサイレンサパネルセクション、例えば２６０Ａの第３のエンクロージャ２１２に結合するように構成された第１の結合器と同一である第２の結合器２７０を備えることもできる。対向する端壁２６２は、セクション２６０の連続接続を収容するように相補的結合器２７２、２７４を備えることができる。前縁および後縁セクション、例えば、図１３中の２６０Ａ、２６０Ｃは、一端に結合器２７０だけを有することができる。結合器２７０は、エンクロージャ２１２に組み込まれてもよくまたは組み込まれなくてもよい多種多様な形態をとることができることを強調しておく。例えば、結合器２７０は、隣接したセクションの側壁２１４、エンドキャップ２１６および／またはエンドキャップ２１８の取り付けられたスナップ係合接続、面ファスナ、ボルト／ナット、さねはぎファスナ、接着剤、結合用ブラケットなどを含み得るが、これらに限定されない。
【００２５】
図９に戻ると、図１５〜図１７に関連して、従来のシステムとは対照的に、各サイレンサパネル１０４、２０４は、サイレンサダクト２０２のサイレンサパネルフレーム２０６にスライド可能に配置されるように構成されている。支持を行うために、前述したように、サイレンサダクト２０２は、フレーム２０６内に配置された複数のサイレンサパネル取付部２５０を備えることができ、各サイレンサパネル取付部は、サイレンサパネル１０４、２０４をスライド可能に受け入れるように構成されている。この構造は、各サイレンサパネルがダクトに溶接されるカスタムフィットの金属である従来のシステムとはやはり対照的である。
【００２６】
サイレンサパネル取付部２５０は、様々な形態をとることができる。図９、図１５、および図１６に示された一実施形態では、各サイレンサパネル取付部２５０は、フレーム２０６上に対向関係にある一対の溝２５２、２５４を備える。溝２５２、２５４は。内部にサイレンサパネルのそれぞれの端部を位置的に係合する、すなわち内部にサイレンサパネルのそれぞれの端部の移動を防ぐようにそれぞれ構成されている。各溝は、サイレンサパネル１０４（図３〜図５）、サイレンサパネル２０４（図１０〜図１３）、またはさらに従来の金属クラッドパネルなどのサイレンサパネルを収容することができる。溝２５２、２５４は、いくつかのやり方で構造化することができる。図１６に最もよく示される一例では、各溝２５２、２５４は、フレーム２０６の内面２０９から延びる一対のプレート２５６を備えることができる。図示の例では、サイレンサパネル２０４は、垂直な構成で配置することができ、したがって、内面２０９は、フレーム２０６の上水平面および／または下水平面を備える。理想的ではないが、サイレンサパネルを水平なやり方で設けることも実現可能である。各溝２５２、２５４は、サイレンサパネル１０４、２０４を軸方向に配置するようにフレーム２０６の下流端に閉端２５８を備えることもできる。このやり方では、サイレンサパネル１０４、２０４は、対向する溝２５２、２５４の中にスライドし、フレーム２０６の上流端から作動流体の力によって所定の位置に保持することができる。代替として、図９および図１６に示されるように、サイレンサパネル１０４、２０４がそれぞれの溝２５２、２５４から離脱するのを防ぐように構成されているロック２５９が設けられてもよい。ロック２５９は、恒久的または取り外し可能であり得る。ロック２５９は、面２０９の中へのねじ付きファスナ、セクション２６０Ａの前縁に係合する可動ヒンジまたはスライド部材等などの様々な形態のいずれかをとることができるが、これらに限定されない。ロック２５９は、例えば、ノーズ部２２０として丸みを帯びた、前セクション（例えば、図１３中の２６０Ａ）の前縁を収容するように適宜成型することができる。
【００２７】
図１７に移ると、代替の実施形態において、サイレンサパネル１０４、２０４のそれぞれのエンクロージャ１１２、２１２は、フレーム２０６に単一のサイレンサパネル１０４、２０４をスライド可能に配置するための取付部２８０を備えることができる。（モジュール式）サイレンサパネル２０４が用いられる場合、その各エンクロージャ２１２は、例えばそこに位置合わせされた取付部２８０を備えることができる。一実施形態では、サイレンサパネル取付部２５０および取付部２８０は、嵌合式雄雌型スライド結合器２８２を備えることができる。一実施形態では、嵌合式雄雌型スライド結合器は、レール、および相補型の溝の形態をとることができる。この例では、嵌合式雄雌型スライド結合器の第１の部分２８４、例えば、溝２８４としての取付部２８０は、第２の部分２８６、例えば、サイレンサパネルフレーム２０６にある嵌合式雄雌型スライド結合器のレールと嵌合するように構成されている。図示の例では、第１の部分２８４（取付部２８０）は、上側および／または下側エンドキャップ２１６、２１８（図示として２１６）に配置することができ、第２の部分２８６は、フレーム２０６の内面２０９に配置される。図示の例では、雄雌形部分は、エンドキャップ２１６においてＩ形梁２８６および相補的な形状の溝２８４の形態をとる。雄雌形部分は切り替えられてもよく、例えば、蟻継ぎ形、Ｔ形、Ｌ形等の様々な他の形状をとってもよいことを強調しておく。いずれにしても、部分２８４、２８６は、サイレンサパネル１０４、２０４をフレーム２０６に配置するために共に容易にスライドすることができる。パネルを軸方向に配置するような様々なロックおよび／または止め部が用いられてもよい。
【００２８】
穴あきプラスチック側壁１１４、２１４で作製されたエンクロージャ１１２、２１２は、従来の鋼製パネルを上回るいくつかの利点を提供する。例えば、サイレンサパネル１０４、２０４は、重量が減じられており、取り扱いがより簡単であり、費用が下がっており、シートと支持部材の間の過度の溶接をなくしたので製造がより容易である。さらに、プラスチックは、わずかに強化された音響性能（例えば、例として、約２ｄＢ以上の全体的な減衰といった、より大きいデシベル（ｄＢ）減衰）を与えることができ、鋼製パネルに比較して穴面積の開いている割合の増加を可能にすることができる。さらに、サイレンサパネル２０４の実施形態は、サイレンサパネルのサイズを容易にカスタマイズすることを可能にして、多種多様な異なるサイズのフレームを収容する。本明細書に記載したように、サイレンサダクト２０２は、サイレンサパネル１０４、２０４および従来の金属パネルの配置を、それらを所定の位置に溶接する必要なく可能にし、時間および製造コストを節約する。
【００２９】
本明細書に使用される専門用語は、特定の実施形態を説明するためのものにすぎず、本開示の限定であることは意図されていない。本明細書に使用される場合、文脈上他のものを明確に示すものでない限り、単数形「ａ」、「ａｎ」、「ｔｈｅ」は、複数形も含むことが意図されている。本明細書に使用されるとき、用語「備える、含む（ｃｏｍｐｒｉｓｅｓ）」および／または「備えている、含んでいる（ｃｏｍｐｒｉｓｉｎｇ）」は、述べた特徴、整数、ステップ、動作、要素、および／またはコンポーネントの存在を特定するが、１つまたは複数の他の特徴、整数、ステップ、動作、要素、コンポーネント、および／またはそれらの群の存在または追加を除外しないことをさらに理解されよう。
【００３０】
添付の特許請求の範囲における全てのミーンズまたはステッププラスファンクション要素の対応する構造、材料、作用、および均等物は、具体的に特許請求されるような他の特許請求される要素と組み合わせて機能を実行するための任意の構造、材料、または作用を含むことが意図される。本開示の記載は、例示および説明のために示されたものであり、網羅的であること、または本開示を開示された形態に限定されることは意図されていない。多くの修正および変更は、本開示の範囲および要旨から逸脱することなく当業者に明らかであろう。本実施形態は、本開示の原理および実際の適用を最もよく説明するために選ばれ説明されたものであり、当業者が、様々な実施形態について、予期される特定の用途に適している様々な修正と共に、本開示を理解することを可能にする。
【００３１】
最後に、代表的な実施態様を以下に示す。
［実施態様１］
音響吸収材料（１１０、２１０）と、
前記音響吸収材料（１１０、２１０）を囲む第１のエンクロージャ（１１２、２１２）と、
前記第１のエンクロージャ（１１２、２１２）を隣接したサイレンサパネル（１０４、２０４）セクションの第２のエンクロージャ（２１２Ｂ）に結合するように構成された第１の結合器（２７０）と
を備えるサイレンサパネル（１０４、２０４）セクション。
［実施態様２］
前記第１の結合器（２７０）は、前記第１のエンクロージャ（１１２、２１２）および前記第２のエンクロージャ（２１２Ｂ）の一方にある雄形結合器（２７２）であって、前記第１のエンクロージャ（１１２、２１２）および前記第２のエンクロージャ（２１２Ｂ）の他方にある雌形結合器（２７４）と嵌合するように構成された、前記第１のエンクロージャ（１１２、２１２）および前記第２のエンクロージャ（２１２Ｂ）の一方にある雄形結合器（２７２）を含む、実施態様１記載のサイレンサパネル（１０４、２０４）セクション。
［実施態様３］
前記第１のエンクロージャ（１１２、２１２）を別の隣接したサイレンサパネル（１０４、２０４）セクションの第３のエンクロージャ（１１２、２１２）に結合するように構成された第２の結合器をさらに備える、実施態様１記載のサイレンサパネル（１０４、２０４）セクション。
［実施態様４］
前記第１のエンクロージャ（１１２、２１２）は、一対の対向する側壁（２１４）、一対の対向する端壁（２６２）、ならびに上側エンドキャップおよび下側エンドキャップ（１１６、１１８、２１６、２１８）をさらに含む、実施態様１記載のサイレンサパネル（１０４、２０４）セクション。
［実施態様５］
前記上側エンドキャップおよび下側エンドキャップ（１１６、１１８、２１６、２１８）の少なくとも１つは、嵌合式雄雌型スライド結合器（２８２）の第１の部分であって、サイレンサパネル（１０４、２０４）フレーム（１０２、２０６）にある前記嵌合式雄雌型スライド結合器（２８２）の第２の部分と嵌合するように構成された、嵌合式雄雌型スライド結合器の第１の部分（２８２）を含む、実施態様４記載のサイレンサパネル（１０４、２０４）セクション。
［実施態様６］
前記第１のエンクロージャ（１１２、２１２）は、隣接した端壁間に配置された少なくとも１つの補強材（２６４）をさらに含む、実施態様４記載のサイレンサパネル（１０４、２０４）セクション。
［実施態様７］
前記第１のエンクロージャ（１１２、２１２）は、その一対の隣接した側壁の端部にテーパ状の後部（２６６）を含む、実施態様１記載のサイレンサパネル（１０４、２０４）セクション。
［実施態様８］
前記第１のエンクロージャ（１１２、２１２）は、その一対の隣接した側壁の端部に丸みを帯びたノーズ部（１２０、２２０）を含む、実施態様１記載のサイレンサパネル（１０４、２０４）セクション。
［実施態様９］
前記エンクロージャは、少なくとも１つのプラスチックの穴あき側壁を含む、実施態様１記載のサイレンサパネル（１０４、２０４）セクション。
［実施態様１０］
前記少なくとも１つのプラスチックの穴あき側壁のプラスチックは、ポリ塩化ビニル（ＰＶＣ）、ポリプロピレン（ＰＰ）、ポリプロピレン共重合体（ＰＰＣ）、ポリプロピレンホモポリマー（ＰＰＨ）、ポリエチレン（ＰＥ）、および高密度ポリエチレン（ＨＤＰＥ）からなる群から選択される、実施態様９記載のサイレンサパネル（１０４、２０４）セクション。
［実施態様１１］
単一のサイレンサパネル（１０４、２０４）を形成するように結合されるように構成された複数のセクションを備えたサイレンサパネル（１０４、２０４）であって、各セクションは、音響吸収材料（１１０、２１０）を囲むエンクロージャ内に前記音響吸収材料（１１０、２１０）を含む、サイレンサパネル（１０４、２０４）。
［実施態様１２］
各セクションは、前記エンクロージャを、隣接したセクションの別のエンクロージャに結合するように構成された第１の結合器（２７０）をさらに含む、実施態様１１記載のサイレンサパネル（１０４、２０４）。
［実施態様１３］
前記エンクロージャをさらに別の隣接したセクションのエンクロージャに結合するように構成された第２の結合器をさらに備える、実施態様１２記載のサイレンサパネル（１０４、２０４）。
［実施態様１４］
前記第１の結合器（２７０）は、前記エンクロージャの一方にある雄形結合器（２７２）であって、前記エンクロージャの他方にある嵌合式雌形結合器（２７４）と嵌合するように構成された雄形結合器（２７２）を含む、実施態様１２記載のサイレンサパネル（１０４、２０４）。
［実施態様１５］
各エンクロージャは、一対の対向する側壁（２１４）と、一対の対向する端壁（２６２）と、上側エンドキャップおよび下側エンドキャップ（１１６、１１８、２１６、２１８）とをさらに含む、実施態様１１記載のサイレンサパネル（１０４、２０４）。
［実施態様１６］
前記上側エンドキャップおよび下側エンドキャップ（１１６、１１８、２１６、２１８）の少なくとも１つは、嵌合式雄雌型スライド結合器（２８２）の第１の部分であって、サイレンサパネル（１０４、２０４）フレーム（１０２、２０６）にある前記嵌合式雄雌型スライド結合器（２８２）の第２の部分と嵌合するように構成された、嵌合式雄雌型スライド結合器（２８２）の第１の部分を含む、実施態様１５記載のサイレンサパネル（１０４、２０４）。
［実施態様１７］
少なくとも１つのエンクロージャは、隣接した端壁間に配置された少なくとも１つの補強材（２６４）をさらに含む、実施態様１５記載のサイレンサパネル（１０４、２０４）。
［実施態様１８］
前記単一のサイレンサパネル（１０４、２０４）は、サイレンサパネル（１０４、２０４）フレーム（１０２、２０６）に前記単一のサイレンサパネル（１０４、２０４）をスライド可能に配置するための取付部を備える、実施態様１１記載のサイレンサパネル（１０４、２０４）。
［実施態様１９］
前記複数のセクションのうちの１つは、その前記エンクロージャの一対の隣接した側壁の端部にテーパ状の後部（２６６）を含む、実施態様１１記載のサイレンサパネル（１０４、２０４）。
［実施態様２０］
前記複数のセクションのうちの１つは、その前記エンクロージャの一対の隣接した側壁の端部に丸みを帯びたノーズ部（１２０、２２０）を含む、実施態様１１記載のサイレンサパネル（１０４、２０４）。
［実施態様２１］
各エンクロージャは、少なくとも１つのプラスチックの穴あき側壁を含む、実施態様１１記載のサイレンサパネル（１０４、２０４）。
［実施態様２２］
前記少なくとも１つのプラスチックの穴あき側壁のプラスチックは、ポリ塩化ビニル（ＰＶＣ）、ポリプロピレン（ＰＰ）、ポリプロピレン共重合体（ＰＰＣ）、ポリプロピレンホモポリマー（ＰＰＨ）、ポリエチレン（ＰＥ）、および高密度ポリエチレン（ＨＤＰＥ）からなる群から選択される、実施態様２１記載のサイレンサパネル（１０４、２０４）。
［実施態様２３］
作動流体流路を形成するフレームと、
前記フレーム内に配置された複数のサイレンサパネル（１０４、２０４）取付部であって、各サイレンサパネル（１０４、２０４）取付部は、サイレンサパネル（１０４、２０４）をスライド可能に受け入れるように構成されている、複数のサイレンサパネル（１０４、２０４）取付部と
を備えるサイレンサダクト（２０２）。
［実施態様２４］
各サイレンサパネル（１０４、２０４）取付部は、前記フレーム上に対向関係にある一対の溝を含み、各溝は、前記各溝内の前記サイレンサパネル（１０４、２０４）の各端部に位置的に係合するように構成された、実施態様２３記載のサイレンサダクト（２０２）。
［実施態様２５］
各溝は、前記フレームの内面から延びる一対のプレートを含む、実施態様２４記載のサイレンサダクト（２０２）。
［実施態様２６］
各溝は、前記サイレンサパネル（１０４、２０４）を軸方向に配置するように前記フレームの下流端に閉端を含む、実施態様２４記載のサイレンサダクト（２０２）。
［実施態様２７］
サイレンサパネル（１０４、２０４）がそれぞれの溝から離脱するのを防ぐように構成されたロックをさらに備える、実施態様２４記載のサイレンサダクト（２０２）。
［実施態様２８］
前記サイレンサパネル（１０４、２０４）取付部は、嵌合式雄雌型スライド結合器（２８２）の第１の部分であって、前記サイレンサパネル（１０４、２０４）にある前記嵌合式雄雌型スライド結合器（２８２）の第２の部分と嵌合するように構成された、嵌合式雄雌型スライド結合器（２８２）の第１の部分を含む、実施態様２３記載のサイレンサダクト（２０２）。
［実施態様２９］
前記サイレンサパネル（１０４、２０４）は、
単一のパネルを形成するように結合されるように構成された複数のセクションであって、各セクションは、音響吸収材料（１１０、２１０）を囲むエンクロージャ内に前記音響吸収材料（１１０、２１０）を含む、複数のセクションを備え、
各エンクロージャは、前記嵌合式雄雌型スライド結合器（２８２）の前記第２の部分を含む、
実施態様２８記載のサイレンサダクト（２０２）。
［実施態様３０］
各エンクロージャは、一対の対向する側壁（２１４）と、一対の対向する端壁（２６２）と、上側エンドキャップおよび下側エンドキャップ（１１６、１１８、２１６、２１８）とを含み、前記上側エンドキャップおよび下側エンドキャップ（１１６、１１８、２１６、２１８）の少なくとも１つは、前記嵌合式雄雌型スライド結合器（２８２）の前記第２の部分を含む、実施態様２９記載のサイレンサダクト（２０２）。
【符号の説明】
【００３２】
１０  ターボ機械
１２  ガスタービンシステム
１６  空気取入口セクション
１７  取入口フレーム
１８  圧縮機
２０  燃焼器コンポーネント
２２  タービンコンポーネント
２４  シャフト
２８  発電機
１００  サイレンサシステム
１０２、２０６  フレーム
１０４、２０４  サイレンサパネル
１０６  エンドパネル
１１０、２１０  吸収材料
１１２、２１２  エンクロージャ
１１４  穴あき側パネル
１１６、１１８、２１６、２１８  エンドキャップ
１２０、２２０  ノーズ部
１２２  構造支持体
１３２、２３２  平坦シート
１３４、２３４  穴
１４０  孔
２０２  サイレンサダクト
２０７  上流端
２０８  下流端
２０９  面
２１２Ｂ  第２のエンクロージャ
２１４  対向する側壁
２５０  サイレンサパネル取付部
２５２、２５４、２８４  溝
２５９  ロック
２６０  セクションの前縁
２６０Ａ、Ｂ、Ｃ等  複数のセクション
２６２  端壁
２６２Ａ  特定のセクション
２６４  補強材
２６６  テーパ状の後部
２７０  第１の結合器
２７２  雄形結合器
２７４  相補的開口
２８０  取付部
２８２  嵌合式雄雌型スライド結合器
【図１】
2017062465.tif 000003
【図２】
2017062465.tif 000004
【図３】
2017062465.tif 000005
【図４】
2017062465.tif 000006
【図５】
2017062465.tif 000007
【図６−８】
2017062465.tif 000008
【図９】
2017062465.tif 000009
【図１０】
2017062465.tif 000010
【図１１】
2017062465.tif 000011
【図１２】
2017062465.tif 000012
【図１３】
2017062465.tif 000013
【図１４】
2017062465.tif 000014
【図１５】
2017062465.tif 000015
【図１６】
2017062465.tif 000016
【図１７】
2017062465.tif 000017
【外国語明細書】
2017062465000001.pdf